(57)【要約】【課題】所望の照度分布を得ることができる照明用フィルタ及び照明器具を提供する。【解決手段】透光カバー５は、発光装置２が出射する光を透過する照明用フィルタである。透光カバー５は、発光装置２が出射する光の分光分布を変えることで、透過する光のＦＣＩを向上させた光に変換する光変換材料５５を備える。光変換材料５５は、光を変換する光変換量が当該透光カバー５の位置に対して不均一である。【選択図】図５
2019083091.tif 000002
【特許請求の範囲】
【請求項１】
発光装置が出射する光を透過する照明用フィルタであって、
前記発光装置が出射する光の分光分布を変えることで、透過する光のＦＣＩ（Ｆｅｅｌｉｎｇ  ｏｆ  Ｃｏｎｔｒａｓｔ  Ｉｎｄｅｘ）を向上させた光に変換する光変換材料を備え、
前記光変換材料は、
光を変換する光変換量が当該照明用フィルタの位置に対して不均一である
照明用フィルタ。
【請求項２】
前記光変換材料は、少なくとも、５６０ｎｍ以上５７０ｎｍ以下の波長の光を選択的に吸収する
請求項１に記載の照明用フィルタ。
【請求項３】
前記光変換材料は、さらに、少なくとも、４４０ｎｍ以上４５０ｎｍ以下の波長の光を選択的に吸収する
請求項２に記載の照明用フィルタ。
【請求項４】
さらに、前記光変換材料を含有する基材を備え、
前記光変換材料の濃度は、前記基材の位置に対して不均一である
請求項１〜３のいずれか１項に記載の照明用フィルタ。
【請求項５】
前記光変換材料が含有されている部分での前記照明用フィルタの厚みは、前記照明用フィルタの位置に対して不均一である
請求項１〜３のいずれか１項に記載の照明用フィルタ。
【請求項６】
当該照明用フィルタは、当該照明用フィルタを透過した後の少なくとも一部の光を、当該照明用フィルタを透過する前の光よりもＦＣＩを１０以上向上させる
請求項１〜５のいずれか１項に記載の照明用フィルタ。
【請求項７】
当該照明用フィルタは、移動体のヘッドライトに用いられるヘッドライト用フィルタであって、
前記光変換材料は、前記ヘッドライトが前記移動体に搭載された場合に、前記移動体の進行方向から４°以上、下を向くように傾斜した領域を通過する光路上に配置されている
請求項１〜６のいずれか１項に記載の照明用フィルタ。
【請求項８】
光源を有する発光装置と、
前記発光装置が出射する光が透過する請求項１〜７のいずれか１項に記載の照明用フィルタとを備える
照明器具。
【請求項９】
当該照明用フィルタでは、第１の部分の光変換量よりも光変換量が高くなる前記第１の部分と異なる第２の部分で、前記光変換材料の濃度が高くなり、
前記光変換材料の濃度は、前記光源と前記光源の照射面との距離が最短となる前記照明用フィルタに対応する部分で最も大きい
請求項８に記載の照明器具。
【請求項１０】
前記光変換材料が含有されている部分での前記照明用フィルタの厚みは、前記光源と前記光源の照射面との距離が最短となる前記照明用フィルタに対応する部分で最も大きい
請求項８に記載の照明器具。
【請求項１１】
さらに、前記発光装置に取り付けるための可動性の可動装着部を備え、
前記可動装着部は、前記発光装置と前記光変換材料との相対的な位置関係を可変可能である
請求項８〜１０のいずれか１項に記載の照明器具。
【発明の詳細な説明】
【技術分野】
【０００１】
本開示は、照明用フィルタ及び照明器具に関する。
【背景技術】
【０００２】
一定の光色の光を出力する光源部と、光源部から出力された光の目立ち指数を変化させる目立ち指数可変部とを有する照明装置が開示されている（例えば特許文献１参照）。
【先行技術文献】
【特許文献】
【０００３】
【特許文献１】特開２０１５−２６５４９号公報
【発明の概要】
【発明が解決しようとする課題】
【０００４】
このような照明装置では、屋外、施設等の高所に取り付けて照明する場合に、広範囲を照明することができるように、高出力にされている。通常、このような照明装置の配光設計、照明装置の設置間隔、照明装置の設置高さ等により、照射対象となる照射面の照度の均斉度は、一定以上の水準を保つよう設置時に考慮される。しかし、実際には照射面での明暗差が大きくなってしまうことも多い。つまり、照明装置の直下の照射面では必要以上に明るくなったり、照明装置の直下近傍の照射面から離れれば必要以上に暗くなるといった、明暗差が大きくなったりする。このように、照明装置が照明した照射面では、所望の照度分布を得ることができていない。
【０００５】
そこで、本開示は、所望の照度分布を得ることができる照明用フィルタ及び照明器具に提供することを目的とする。
【課題を解決するための手段】
【０００６】
上記目的を達成するため、本開示の一態様に係る照明用フィルタは、発光装置が出射する光を透過する照明用フィルタであって、前記発光装置が出射する光の分光分布を変えることで、透過する光のＦＣＩ（Ｆｅｅｌｉｎｇ  ｏｆ  Ｃｏｎｔｒａｓｔ  Ｉｎｄｅｘ）を向上させた光に変換する光変換材料を備え、前記光変換材料は、光を変換する光変換量が当該照明用フィルタの位置に対して不均一である。
【０００７】
また、本開示の一態様に係る照明器具は、光源を有する発光装置と、前記発光装置が出射する光が透過する請求項１〜７のいずれか１項に記載の照明用フィルタとを備える。
【発明の効果】
【０００８】
本開示によれば、所望の照度分布を得ることができる。
【図面の簡単な説明】
【０００９】
【図１】図１は、実施の形態１に係る照明器具の外観を示す斜視図である。
【図２】図２は、実施の形態１に係る照明器具の透光カバーを外した状態を示す平面図である。
【図３】図３は、実施の形態１に係る照明器具の透光カバーを示す平面図である。
【図４】図４は、図３のＩＶ−ＩＶ線における実施の形態１に係る照明器具の透光カバーの断面図である。
【図５】図５は、図１のＶ−Ｖ線における実施の形態１に係る照明器具の部分拡大断面図である。
【図６】図６は、図１のＶＩ−ＶＩ線における実施の形態１に係る照明器具の透光カバーと筐体とを示す部分拡大断面図である。
【図７】図７は、光のＦＣＩと光の鮮やかさとの関係を示す図である。
【図８】図８は、透光カバーを透過する前の光源を出射した光のスペクトルと、透光カバーを透過した後の光のスペクトルとを示す図である。
【図９】図９は、透光カバーを透過する前の光源を出射した光と、透光カバーを透過した後の光とを示す図である。
【図１０】図１０は、照明器具の照度分布及びＦＣＩ（Ｆｅｅｌｉｎｇ  ｏｆ  Ｃｏｎｔｒａｓｔ  Ｉｎｄｅｘ）を示す図である。
【図１１】図１１は、実施の形態１の変形例に係る照明器具の部分拡大断面図である。
【図１２】図１２は、実施の形態２に係る車両を示す図である。
【図１３】図１３は、実施の形態２に係る車両のヘッドランプを示す図である。
【図１４】図１４は、変形例に係る車両のヘッドランプを示す図である。
【発明を実施するための形態】
【００１０】
［概要］
通常、屋外、施設等の高所に取り付ける照明器具では、照明器具が広範囲を照明することができるように高出力にされている。このような照明器具では、照明器具の配光設計、複数の照明器具の設置間隔、照明器具の設置高さ等により、照射対象となる照射面の明るさの均斉度は、一定以上の水準を保つよう設置時に考慮される。
【００１１】
しかしながら、実際に照明器具を用いて照明を行った場合に、照射面での明暗差が大きくなってしまうことも多い。つまり、照明器具が照射した光の照明器具の直下近傍の照射面では必要以上に明るくなったり、照明器具の直下近傍の照射面から離れれば必要以上に暗くなったりするといった、明暗差が大きくなってしまう。このように、照明器具が照明した照射面では、所望の照度分布を得ることができていない。
【００１２】
また、照明器具から路面に過剰な光が照射されると、輝度の高いグレアとなり眩しく感じてしまう。このため、過剰な光が照射された明るい部分では、色飛びによって、視認性が低下してしまう。
【００１３】
照明器具が道路灯及びヘッドランプ等である場合を例に挙げると、道路灯及びヘッドランプの直下近傍の路面では必要以上に明るい照射面が存在するとともに、道路灯及びヘッドランプの直下近傍の路面から離れれば暗い照射面が存在するといった、道路灯及びヘッドランプ等の照明器具と路面までの距離によって明暗が生じてしまう。明暗差が大きくなると、落下物、センターラインといった標識等を示す情報を識別し難くなる。特に雨等により路面が濡れた状態となれば、路面の視環境がさらに悪化する。これらのことから、視環境の悪化を抑制した所望の照度分布による照明を行うことが求められる。
【００１４】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１５】
また、「略＊＊」との記載は、「略同一」を例に挙げて説明すると、全く同一はもとより、実質的に同一と認められるものを含む意図である。また、「＊＊近傍」においても、「＊＊近傍」との記載を例に挙げて説明すると、「＊＊」と同一又は「＊＊」から数ｍ以内を含む意図である。
【００１６】
なお、各図は、模式図であり、必ずしも厳密に図示されたものではない。また、各図において、実質的に同一の構成に対しては同一の符号を付しており、重複する説明は省略又は簡略化する。
【００１７】
以下、本開示の実施の形態に係る照明用フィルタ及び照明器具について説明する。
【００１８】
（実施の形態１）
［構成］
照明器具１が出射する光の出射方向をＸ軸プラス方向と規定し、紙面右側をＹ軸プラス方向と規定し、第１係合部３１に対する第２係合部３２側の方向をＺ軸プラス方向と規定し、Ｘ、Ｙ、Ｚの各方向を表示する。図１に示す各方向は、図２に示す各方向に対応させて表示する。Ｘ、Ｙ、Ｚの各方向を表示していない図を除き、図２以降の図においても、同様である。
【００１９】
図１は、実施の形態１に係る照明器具１の外観を示す斜視図である。
【００２０】
図１に示すように、照明器具１は、屋外、施設等の天井に設置され、１台で広範囲を照明することが可能な器具である。照明器具１は、例えば道路灯、防犯灯等である。本実施の形態では、照明器具１は、街路の路面に光を照射することが可能な姿勢で、電柱に設置されている。路面は、照明器具１が光を照射する照射面である。
【００２１】
照明器具１は、発光装置２と、透光カバー５と、電源部とを備える。発光装置２は、筐体３と発光モジュール４とを有する。
【００２２】
［筐体］
筐体３は、発光モジュール４、電源部等を収容する扁平な容器である。筐体３は、筐体３の取付部を介して電柱に取り付けられている。筐体３は、電柱に対して傾斜した姿勢で、電柱に固定されている。筐体３は、例えば、金属材料を用いて形成されていてもよく、樹脂材料等を用いて形成されていてもよい。また、筐体３は、光の利用効率を上げるために内面が光反射材で形成されてもよい。
【００２３】
図２は、実施の形態１に係る照明器具１の透光カバー５を外した状態を示す平面図である。
【００２４】
図１及び図２に示すように、筐体３は、第１係合部３１と、第２係合部３２と、留め具３３とを有する。第１係合部３１は、筐体３のＺ軸マイナス方向側の端縁に形成されている。第１係合部３１は、後述する透光カバー５の鍔部５２と挟むように係止することが可能である。第２係合部３２は、筐体３のＺ軸プラス方向側の端縁に形成され、透光カバー５と係合する。留め具３３は、筐体３の本体に対して回転軸Ｏ１周りで回転可能なフック状である。留め具３３は、図示しないコイルばねにより第２係合部３２に対して透光カバー５を付勢する。
【００２５】
［発光モジュール］
発光モジュール４は、照射面に向けて光を照射するモジュールである。発光モジュール４は、基板４１と、光源４２とを備える。
【００２６】
基板４１は、光源４２を実装するための実装基板である。基板４１には、複数の光源４２が実装されている。基板４１は、例えば平面視において矩形である平面を有する板状である。基板４１は、水平方向に対して、傾斜した姿勢で固定されている。基板４１は、例えば、セラミックス基板、樹脂基板又は絶縁被覆されたメタルベース基板などである。本実施の形態では、ＬＴＣＣ（Ｌｏｗ  Ｔｅｍｐｅｒａｔｕｒｅ  Ｃｏ−ｆｉｒｅｄ  Ｃｅｒａｍｉｃｓ）のパッケージ基板である。
【００２７】
光源４２は、薄明視環境下の中心視及び周辺視において、明るく知覚される白色光を発する。光源４２は、夜間等の周囲が暗い環境下において使用される街路用照明器具１に適している。
【００２８】
光源４２は、Ｘ軸プラス方向に光を照射する姿勢で、基板４１にマトリクス状に実装されている。本実施の形態では、光源４２は、ＬＥＤ（Ｌｉｇｈｔ  Ｅｍｉｔｔｉｎｇ  Ｄｉｏｄｅ）を有するモジュールであって、所定の光を放射状に出射するＬＥＤ光源である。光源４２は、例えば白色光を出射するように構成されている。光源４２は、例えば、フリップチップ型ＬＥＤで構成され、基板４１に実装されたＬＥＤチップである。なお、光源４２は、ＬＥＤに限定されるものではなく、例えば、半導体レーザ等の半導体発光素子、又は、有機ＥＬ（Ｅｌｅｃｔｒｏ  Ｌｕｍｉｎｅｓｃｅｎｃｅ）、無機ＥＬ等のＥＬ素子等その他の固体発光素子であってもよい。
【００２９】
［透光カバー］
図３は、実施の形態１に係る照明器具１の透光カバー５を示す平面図である。
【００３０】
図３に示すように、透光カバー５は、発光装置２が出射する光を透過するカバーである。透光カバー５は、光源４２からの光を透過するカバーである。透光カバー５は、筐体３に取り付けられている。透光カバー５は、例えばガラス材料、又は、アクリル、ポリカーボネート等の透明樹脂材料等によって形成することができる。透光カバー５は、照明用フィルタの一例である。
【００３１】
図４は、図３のＩＶ−ＩＶ線における実施の形態１に係る照明器具１の透光カバー５の断面図である。
【００３２】
図３及び図４に示すように、透光カバー５は、本体部５１と、鍔部５２と、被係合部５３とを有する。
【００３３】
本体部５１は、平面視で、筐体３と対応する形状である。本体部５１は、扁平な器状である。本体部５１の厚みは、どの部分においても略同一である。本体部５１のＸ軸プラス方向側の端縁、つまり、本体部５１の外周縁には、鍔部５２が形成されている。図２及び図３に示すように、Ｚ軸プラス方向側の鍔部５２は、筐体３の第１係合部３１と係合する。被係合部５３は、本体部５１のＸ軸プラス方向側の端縁に形成された鍔である。被係合部５３は、筐体３の第２係合部３２と係合する。
【００３４】
図４に示すように、透光カバー５は、基材５６と、光変換材料５５とを有する。基材５６は、例えばガラス材料、又は、アクリル、ポリカーボネート等の透明樹脂材料である。基材５６には、光変換材料５５が含有され、不均一に光変換材料５５が分散されている。光変換材料５５は、発光装置２が出射する光の分光分布を変えることで、透過する光のＦＣＩを向上させた光に変換する材料である。光変換材料５５は、Ｎｄイオンを含んだガラス組成物、有機系色素等で構成される。
【００３５】
ここでＦＣＩについて説明する。
【００３６】
ＦＣＩとは、光源の色再現の目立ち及び鮮やかさの程度を表す指標であり、目立ち指数とも呼ばれる。ＦＣＩは、基準光源Ｄ６５とした場合に１００を基準としている。ＦＣＩが１００より大きい光源は、基準光源Ｄ６５よりも照射対象の色を鮮やかに演色し、目立ち感を高め、かつ、照明する空間を明るく感じさせる（新編色彩科学ハンドブック［第３版］日本色彩学会編参照）。ＦＣＩは、下記の式１により定義される。
【００３７】
【数１】
2019083091.tif 000003
【００３８】
ＧＬＡＢ（Ｔ）は、テスト光下での赤・青・緑・黄の４色配色サンプルのＬＡＢ表色系における色域面積である。ＧＬＡＢ（Ｄ６５）は、基準光源Ｄ６５下での同４色配色サンプルのＬＡＢ表色系における色域面積である。
【００３９】
ＦＣＩの高い光とＦＣＩの低い光とで光色が同一であれば、白色、灰色又は黒色等の無彩色では色の見えの鮮やかさはさほど変わらないが、彩度の高い赤色又は緑色等の有彩色では色の見えの鮮やかさが変化する。つまり、光色が白色の場合、相関色温度によって色の見えの鮮やかさは変化する。
【００４０】
一例を挙げると、ＦＣＩが１５０であり、明るさが１０００ｌｘである場合の光を照射面に照射した場合の目立ち感（色の見えやすさ）は、ＦＣＩが１００であり、明るさが１５００ｌｘである場合の光を照射面に照射した場合の目立ち感と同等である。
【００４１】
次に、光変換材料５５の話に戻る。光源４２から照射された光が照射面を照明する場合に、光変換材料５５は、照射面の中で最も明るくなる部分における光のＦＣＩを向上させるように配置されている。光変換材料５５は、光を変換する光変換量が基材５６の位置に対して不均一である。これは、光変換材料５５の濃度を、透光カバー５の位置に対して不均一にすることで実現する。言い換えれば、透光カバー５中の光変換材料５５の濃度は、透光カバー５の位置に対して斑である。本実施の形態では、光変換材料５５は、光源４２の直下に配置されている。
【００４２】
本実施の形態では、透光カバー５での光変換材料５５の濃度の最も高い部分は、透光カバー５及び発光モジュール４を平面視した場合に、光源４２が配置されている位置から所定の方向にズレている。図３に示すように、本実施の形態では、所定の方向は、Ｚ軸マイナス方向である。
【００４３】
図５は、図１のＶ−Ｖ線における実施の形態１に係る照明器具１の部分拡大断面図である。
【００４４】
図４及び図５に示すように、透光カバー５では、第１の部分の光変換量よりも、光変換量が高くなる第１の部分と異なる第２の部分で光変換材料５５の濃度が高くなる。光変換材料５５の濃度は、光源４２と光源４２の照射面との距離が最短となる透光カバー５に対応する部分で最も大きい。つまり、光変換材料５５の濃度を最も高くする部分は、照射面の最も明るく照射される部分に対応する位置に配置される。光源４２が照射面に照射した光は、光源４２と照射面との最短距離となる部分で最も明るくなる場合がある。この場合に、光源４２と最短距離となる部分との直線と交差する透光カバー５の位置の、光変換材料５５の濃度を高くする。本実施の形態では、複数の光源４２が設けられているため、各々の光源４２の位置に対応した透光カバー５の位置（第２の部分）で、光変換材料５５の濃度を最も高くする。光源４２と最短距離となる部分との直線を二点鎖線の直線Ｖで示す。本実施の形態では直線Ｖは鉛直方向と略平行であるが、これに限定されない。
【００４５】
ここでいう第１の部分及び第２の部分は、透光カバー５の任意の部分である。本実施の形態では、第１の部分は、本体部５１の光変換材料５５の濃度の最も高い部分以外の任意の部分であり、本体部５１の側面側の部分である。第２の部分は、第１の部分よりも光変換材料５５の濃度の高い部分であり、本実施の形態では光変換材料５５の濃度の最も高い部分である。
【００４６】
図５に示すように、本実施の形態では、水平方向を両矢印で示し、水平方向に対する発光モジュール４の姿勢の方向Ｗの傾き角度をθ１で示し、透光カバー５の直下の照射面が最も明るくなる場合、傾き角度θ１は、直線Ｖと光源４２の光軸Ｊとの角度θ２と等しい。このことから、光源４２の光軸Ｊに対して下方向に向かう直線Ｖと透光カバー５とが交差する位置及びその周辺で光変換材料５５の濃度を高くする。
【００４７】
また、光源４２の並びの間隔によっては、光変換材料５５の濃度の高い部分と低い部分とが交互に連続するように、光変換材料５５が基材５６に配置されることもある。これにより、照明器具１の姿勢、光源４２の配置等によって、光変換材料５５の濃度は、基材５６の位置に対して不均一となる。
【００４８】
また、照明器具１の姿勢、光源４２にレンズを配置することで光源４２の光軸Ｊ上の照射面が明るくなることもあるため、光変換材料５５の濃度の最も高い部分が光源４２の光軸Ｊ上に配置されることもありうる。
【００４９】
光変換材料５５は、少なくとも、黄緑色から黄色までの波長領域である５６０ｎｍ以上５７０ｎｍ以下の波長の光を選択的に吸収する。光変換材料５５は、さらに、少なくとも、青色の波長領域の４４０ｎｍ以上４５０ｎｍ以下の波長の光を選択的に吸収する。光変換材料５５が５６０ｎｍ以上５７０ｎｍ以下の波長の光を選択的に吸収することで、ＦＣＩを向上させる効果を見込める。５６０ｎｍ以上５７０ｎｍ以下の波長の光を選択的に吸収すると、透光カバー５を透光した光が、青身がかったりすることがある。このため、さらに、４４０ｎｍ以上４５０ｎｍ以下の波長の光を選択的に吸収することで、透光カバー５からは、白色光が出射する。
【００５０】
５６０ｎｍ以上５７０ｎｍ以下の波長の光を選択的に吸収する場合の光変換材料５５はＮｄイオンを含んだガラス組成物、有機系色素等であり、４４０ｎｍ以上４５０ｎｍ以下の波長の光を選択的に吸収する場合の光変換材料５５は有機系色素等である。
【００５１】
電源部は、例えば、商用電源からの交流電力を直流電力に変換して光源４２に出力する電源回路から構成される。電源部は、照明器具１に内蔵されてもよく、照明器具１とは別に設置されてもよい。
【００５２】
［透光カバーの取り付け］
図６は、図１のＶＩ−ＶＩ線における実施の形態１に係る照明器具１の透光カバー５と筐体３とを示す部分拡大断面図である。
【００５３】
図６に示すように、透光カバー５のＺ軸マイナス方向の端縁の鍔部５２を筐体３の第１係合部３１と係合させる。つまり、透光カバー５の鍔部５２を第１係合部３１に係合させて、筐体３に対して透光カバー５を位置決めする。また、透光カバー５のＺ軸マイナス方向の端縁の被係合部５３を筐体３の第２係合部３２と係合させる。そして、筐体３の留め具３３を回動させて透光カバー５を筐体３に付勢する。こうして、透光カバー５は、筐体３に対して取り付けられる。
【００５４】
なお、透光カバー５の取り付けについてこれに限定されない。筐体３には透光カバー５の鍔部５２の挿入を受け入れることが可能な溝が形成されていてもよい。この場合に、透光カバー５の鍔部５２を筐体３の溝にスライド挿入することで透光カバー５を筐体３に取り付けることができてもよい。その他、筐体３への透光カバー５の取り付けに関して、公知の手段を用いてもよく、これらに限定されない。
【００５５】
［まとめ］
このような、照明器具１では、光源４２を出射した光が透光カバー５に入射し、透光カバー５を光が透過する。本実施の形態では、透光カバー５を透過する光は、光変換材料５５によって、４４０ｎｍ以上４５０ｎｍ以下の波長の光を選択的に吸収し、５６０ｎｍ以上５７０ｎｍ以下の波長の光を選択的に吸収されて光変換される。透光カバー５を透過した光は、照射面に照射される。ここで、透光カバー５は、光変換材料５５を透過した後の一部の光を、光変換材料５５を透過する前の光よりもＦＣＩを１０以上向上させる。本実施の形態では、透光カバー５は、少なくとも、光が照射された照射面のうち最も明るく照射される部分のＦＣＩを１０以上向上させる。また、本実施の形態では、光変換材料５５の最も濃度の高い部分を透過した光は、透光カバー５を透過する前に比べて強度が２１％低下する。これにより、照射面が明るくなり過ぎる部分では、ＦＣＩが高くなることで、視認性が向上する。
【００５６】
［ＦＣＩと鮮やかさとの関係］
図７は、光のＦＣＩと光の鮮やかさとの関係を示す図である。
【００５７】
図７では、様々な目立ち指数の光で赤色、緑色、黄色をなしたそれぞれの自然物を照らし、見えの違いを評価させる実験を行った。ＦＣＩが向上すると、光の鮮やかさが向上していることが判る。例えば、ＦＣＩが約１００では光の鮮やかさが約８３であり、ＦＣＩが約１１０では光の鮮やかさが約９３であり、ＦＣＩが約１２５では光の鮮やかさが約１１０となっている。つまり、ＦＣＩに１０以上の差が有る条件では、光の鮮やかさ有意差があることが判った。
【００５８】
［実験例］
図８は、透光カバー５を透過する前の光源４２を出射した光のスペクトルと、透光カバー５を透過した後の光のスペクトルとを示す図である。
【００５９】
図８は、太い実線は、透光カバー５を透過する前の光のスペクトルを示している。透光カバー５を透過する前の光源４２を出射した光のスペクトルは、透光カバー５を透過する前の光のスペクトルである。実施例１の細い実線は、透光カバー５を透過した後の光のスペクトルを示している。実施例１では、透光カバー５の光変換材料５５にＮｄイオンを含んだガラス組成物を用いている。実施例２の破線は、透光カバー５を透過した後の光のスペクトルを示している。実施例２では、透光カバー５の光変換材料５５に有機系色素を用いている。実施例３の二重線は、透光カバー５を透過した後の光のスペクトルを示している。実施例３では、透光カバー５の光変換材料５５に有機系色素を用いている。
【００６０】
透光カバー５を透過する前の光に対して実施例１の光では、波長が約５００ｎｍ〜６１０ｎｍで相対強度が低下していることが判る。特に、波長が約５８０ｎｍで相対強度が特に低下していることが判る。
【００６１】
また、透光カバー５を透過する前の光に対して実施例２の光では、波長が約５２０ｎｍ〜６１０ｎｍで相対強度が低下していることが判る。特に、波長が約５９０ｎｍで相対強度が特に低下していることが判る。
【００６２】
さらに、透光カバー５を透過する前の光に対して実施例３の光では、波長が約４３０ｎｍ〜４７０ｎｍ、波長が約５２０ｎｍ〜６１０ｎｍで相対強度が低下していることが判る。特に、波長が約４４５ｎｍ及び波長が約５９０ｎｍで相対強度が特に低下していることが判る。
【００６３】
図９は、透光カバー５を透過する前の光源４２を出射した光と、透光カバー５を透過した後の光とを示す図である。
【００６４】
図９に示すように、透光カバー５を透過する前の光、実施例１の透光カバー５を透過した後の光、実施例２の透光カバー５を透過した後の光、及び、実施例３の透光カバー５を透過した後の光の、相関色温度（Ｋ）、色偏差（Ｄｕｖ）、平均演色評価数（Ｒａ）及びＦＣＩの実験結果を示す。透光カバー５を透過する前の光の相関色温度（Ｋ）は、４９９７Ｋであるが、実施例１では５６７３Ｋ、実施例２では６００９Ｋとなった。また、透光カバー５を透過する前の光の色偏差（Ｄｕｖ）は、２．９であるが、実施例１では１．２、実施例２では４．４、実施例３では１．３となった。また、透光カバー５を透過する前の光の平均演色評価数（Ｒａ）は、８１であるが、実施例１では９０、実施例２では９０、実施例３では９０となった。また、透光カバー５を透過する前の光のＦＣＩは、９５であるが、実施例１では１１０、実施例２では１０６、実施例３では１１０となった。この結果から、透光カバー５を光が透過した後では、透光カバー５を光が透過する前に比べて、相関色温度（Ｋ）、平均演色評価数（Ｒａ）及びＦＣＩが上昇していることが判る。
【００６５】
なお、光の、相関色温度（Ｋ）、色偏差（Ｄｕｖ）、平均演色評価数（Ｒａ）及びＦＣＩは、一例であり、これらの数値に限定されない。
【００６６】
図１０は、照明器具１の照度分布及びＦＣＩを示す図である。２９００ｌｍの照明器具１を用いて、照明器具１を路面から４．５ｍの高さに設置した。
【００６７】
図１０の（ａ）は、本実施の形態の透光カバー５を用いていない場合の、路面に照射した光の照度分布を示している。図１０の（ａ）に示すように、照明器具１ａが照射した光の照明器具１ａの直下近傍の照射面では、照度が最も高い２５ｌｘであり、照明器具１ａから遠ざかるに従い、次第に照度が低下している。照明器具１ａが照射した光の照明器具１ａの直下近傍の照射面を、照明器具１ａの直下近傍の照射面という。
【００６８】
図１０の（ｂ）は、本実施の形態の透光カバー５を用いた場合の、路面に照射した光の照度分布を示している。図１０の（ｂ）では、照明器具１の直下近傍の照射面では、照度が最も高い２０ｌｘである。図１０の（ｂ）では、図１０の（ａ）の場合に比べて、照明器具１の直下近傍の照射面の照度を低下することができている。このため、図１０の（ｂ）では、図１０の（ａ）の場合に比べて、均斉度が高い。
【００６９】
図１０の（ｃ）は、本実施の形態の透光カバー５を用いていない場合の、路面に照射した光のＦＣＩの分布を示している。図１０の（ｃ）では、照明器具１ａが光を照射した照射面では、ＦＣＩが９５である。
【００７０】
図１０の（ｄ）は、本実施の形態の透光カバー５を用いた場合の、路面に照射した光のＦＣＩの分布を示している。図１０の（ｄ）では、照明器具１の直下近傍の照射面では、ＦＣＩが１１０である。図１０の（ｄ）では、図１０の（ｃ）の場合に比べて、照明器具１の直下近傍の照射面のＦＣＩを向上することができている。このため、図１０の（ｄ）では、図１０の（ｃ）の場合に比べて、視認性が向上している。
【００７１】
［作用効果］
次に、本実施の形態おける透光カバー５及び照明器具１の作用効果について説明する。
【００７２】
上述したように、本実施の形態に係る透光カバー５は、発光装置２が出射する光を透過する照明用フィルタである。透光カバー５は、発光装置２が出射する光の分光分布を変えることで、透過する光のＦＣＩを向上させた光に変換する光変換材料５５を備える。光変換材料５５は、光を変換する光変換量が当該透光カバー５の位置に対して不均一である。
【００７３】
このように、光変換材料５５は、発光装置２が出射する光の分光分布を変えることで、透過する光のＦＣＩを向上させた光に変換する。また、光を変換する光変換量が当該透光カバー５の位置に対して不均一である。このため、照射面での過剰に明るくなる部分では、ＦＣＩが高くなるため、過剰に明るくなる部分でも色鮮やかに見えることとなり、識別性が向上する。
【００７４】
したがって、この透光カバー５では、所望の照度分布を得ることができる。
【００７５】
特に、このような透光カバー５では、既設の照明器具に対してカバーを取り換えることができるため、使い勝手がよい。
【００７６】
また、本実施の形態に係る照明器具１では、光源４２を有する発光装置２と、発光装置２が出射する光が透過する透光カバー５とを備える。
【００７７】
この照明器具１においても上述と同様の作用効果を奏する。
【００７８】
また、本実施の形態に係る透光カバー５において、光変換材料５５は、少なくとも、５６０ｎｍ以上５７０ｎｍ以下の波長の光を選択的に吸収する。
【００７９】
このように、光変換材料５５は、５６０ｎｍ以上５７０ｎｍ以下の波長の光を選択的に吸収する。このため、光源４２から出射した光を光変換材料５５が吸収することで、光の強度を低下させることができる。これにより、過剰な明るさの光による明暗差を改善するとともに、明るくなり過ぎる部分ではＦＣＩが高くなる。その結果、照射面の過剰に明るくなる部分でも色の識別性が向上する。
【００８０】
また、本実施の形態に係る透光カバー５において、光変換材料５５は、さらに、少なくとも、４４０ｎｍ以上４５０ｎｍ以下の波長の光を選択的に吸収する。
【００８１】
このように、光変換材料５５は、さらに、４４０ｎｍ以上４５０ｎｍ以下の波長の光を選択的に吸収する。このため、４４０ｎｍ以上４５０ｎｍ以下の波長の光を選択的に吸収することで、透光カバー５を透過した光が、青身がかったりすることもない。その結果、視認性の悪化を抑制することができる。
【００８２】
また、本実施の形態に係る透光カバー５は、さらに、光変換材料５５を含有する基材５６を備える。そして、光変換材料５５の濃度は、基材５６の位置に対して不均一である。
【００８３】
このように、光変換材料５５の濃度を基材５６の位置に対して不均一にすることで、光変換材料５５による光変換量を変化させることができるとともに、所望の配光を得易くなる。
【００８４】
また、本実施の形態に係る透光カバー５は、当該透光カバー５を透過した後の少なくとも一部の光を、当該透光カバー５を透過する前の光よりもＦＣＩを１０以上向上させる。
【００８５】
このように、透光カバー５は、透光カバー５を透過した後の一部の光を、透光カバー５を透過する前の光よりもＦＣＩを１０以上向上させる。このため、光の照射面が色鮮やかに見えることで、視認性の悪化を抑制することができる。
【００８６】
また、本実施の形態に係る照明器具１において、当該透光カバー５では、第１の部分の光変換量よりも光変換量が高くなる第１の部分と異なる第２の部分で、光変換材料５５の濃度が高くなる。そして、光変換材料５５の濃度は、光源４２と光源４２の照射面との距離が最短となる透光カバー５に対応する部分で最も大きい。
【００８７】
このように、光変換材料５５の濃度は、光源４２と光源４２の照射面との距離が最短となる透光カバー５に対応する部分で最も大きい。このため、照明器具１の直下近傍の照射面が過剰な明るさとなることを改善することができる。
【００８８】
（実施の形態１の変形例）
以下、本変形例に係る透光カバー１５０について説明する。
【００８９】
本変形例において、透光カバー１５０の厚みが不均一である点で、実施の形態１と異なる。本変形例の透光カバー１５０は、特に明記しない場合は、実施の形態１と同様であり、同一の構成については同一の符号を付して構成に関する詳細な説明を省略する。
【００９０】
図１１は、実施の形態１の変形例に係る照明器具１００の部分拡大断面図である。
【００９１】
図１１に示すように、光変換材料５５が含有されている部分での透光カバー１５０の厚みは、透光カバー１５０の位置に対して不均一である。このことから、透光カバー１５０の本体部５１の厚みは、透光カバー１５０の位置に対して斑である。この場合、透光カバー１５０中の光変換材料５５の濃度は、略均一であってもよく、透光カバー１５０の厚みが大きい部分ほど透光カバー１５０中の光変換材料５５の濃度が高くてもよい。
【００９２】
本実施の形態では、透光カバー１５０では、第１の部分の光変換量よりも光変換量が高くなる第１の部分と異なる第２の部分で、厚みが大きくなる。光変換材料５５が含有されている部分での透光カバー１５０の厚みは、光源４２と光源４２の照射面との距離が最短となる透光カバー１５０に対応する部分で最も大きい。つまり、透光カバー１５０で厚みが大きい第２の部分は、照射面の最も明るく照射される部分に対応する位置となる。光源４２が照射面に照射した光は、光源４２と照射面との最短距離となる部分で最も明るくなる場合がある。この場合に、光源４２と最短距離となる部分との直線と交差する透光カバー１５０の位置の厚みを大きくする。本実施の形態では、複数の光源４２が設けられているため、各々の光源４２の位置に対応して透光カバー１５０の厚みを最も大きくする。この場合に、光源４２と最短距離となる部分との直線と交差する透光カバー１５０の位置の厚みを大きくする。本実施の形態では、複数の光源４２が設けられているため、各々の光源４２の位置に対応した透光カバー１５０の位置で、透光カバー１５０の厚みを最も大きくする。各々の光源４２の位置に対応した透光カバー１５０の位置（第２の部分）の厚みＷ２は、第２の部分と異なる第１の部分Ｗ１よりも厚みが大きい。
【００９３】
ここでいう第１の部分及び第２の部分は、透光カバー５の任意の部分である。本実施の形態では、第１の部分は、本体部５１の厚みの最も大きい部分以外の任意の部分であり、本体部５１の側面側の部分である。第２の部分は、第１の部分よりも厚みの最も大きい部分であり、本実施の形態では本体部５１の厚みの最も大きい部分である。
【００９４】
このことから、光源４２の光軸Ｊに対して下方向に向かう直線Ｖと透光カバー１５０とが交差する位置及びその周辺で、透光カバー１５０の厚みを最も大きくする。
【００９５】
また、光源４２の並びの間隔によっては、透光カバー１５０の厚みの大きい部分と小さい部分とが交互に連続することもある。これにより、照明器具１００の姿勢、光源４２の配置等によって、透光カバー１５０の厚みは、基材５６の位置に対して不均一となる。また、照明器具１００の姿勢によっては、透光カバー１５０の厚みの最も大きい部分が光源４２の光軸Ｊ上に配置されることもありうる。
【００９６】
これにより、本実施の形態に係る透光カバー１５０において、光変換材料５５が含有されている部分での透光カバー１５０の厚みは、透光カバー１５０の位置に対して不均一である。
【００９７】
このように、透光カバー１５０の厚みは、透光カバー１５０の位置に対して不均一である。透光カバー１５０の厚みを変えることで、透光カバー１５０の位置に対して光源４２が出射した光の光変換量を変更することができるとともに、所望の配光を得易くなる。
【００９８】
また、本実施の形態に係る照明器具１００において、光変換材料５５が含有されている部分での透光カバー１５０の厚みは、光源４２と光源４２の照射面との距離が最短となる透光カバー１５０に対応する部分で最も大きい。
【００９９】
このように、透光カバー１５０の厚みは、光源４２と光源４２の照射面との距離が最短となる透光カバー１５０に対応する部分で最も大きい。このため、光源４２の直下近傍となる照射面が過剰に明るくなることを抑制することができる。この場合、視認性の悪化を抑制することができる。
【０１００】
本変形例における他の作用効果についても、実施の形態１と同様の作用効果を奏する。
【０１０１】
（実施の形態２）
［構成］
本実施の形態に係る透光カバー２６０の構成について説明する。
【０１０２】
本実施の形態では、透光カバー２６０を車両２００のヘッドランプ２０１に用いている点で実施の形態１と相違する。本実施の形態の透光カバー２６０は、特に明記しない場合は、実施の形態１と同様であり、同一の構成については同一の符号を付して構成に関する詳細な説明を省略する。
【０１０３】
図１２は、実施の形態２に係る車両２００を示す図である。
【０１０４】
図１２に示すように、車両２００は、複数のヘッドランプ２０１を有する。本実施の形態で設けられる２台のヘッドランプ２０１は、車両２００の前方側で、車両２００の進行方向の対象物を照らすように設けられる。進行方向の一例は、例えば、前方向である。対象物は、道路、壁、人等である。車両２００は移動体の一例である。本実施の形態において、前方向は、車両２００の進行方向を意味する。ヘッドランプ２０１は、照明器具の一例である。
【０１０５】
図１３は、実施の形態２に係る車両のヘッドランプ２０１を示す図である。
【０１０６】
図１３に示すように、ヘッドランプ２０１は、ハウジング２２０と、ハイビーム用の第１発光モジュール２３０と、ロービーム用の第２発光モジュール２４０と、第１リフレクタ２５１と、第２リフレクタ２５２と、透光カバー２６０とを有する。
【０１０７】
ハウジング２２０は、前面を開放した椀状に形成されている。ハウジング２２０には、ハウジング２２０の前面開放端にシール部材を介した透光カバー２６０が結合される。ハウジング２２０の後側には、複数の第１挿入口２２０ａ、２２０ｂが形成されており、各々の第１挿入口２２０ａ、２２０ｂに第１発光モジュール２３０及び第２発光モジュール２４０が一対一で挿入されている。
【０１０８】
第１発光モジュール２３０及び第２発光モジュール２４０のぞれぞれは、光源４２を有し、図示しないリード線から電流が供給される。第２発光モジュール２４０は、第１発光モジュール２３０よりも上側に配置されている。上側は、紙面の下側を意味する。
【０１０９】
第１リフレクタ２５１は、進行方向に光が照射されるように、第１発光モジュール２３０が発した光を配光制御する反射鏡である。また、第２リフレクタ２５２は、進行方向に光が照射されるように、第２発光モジュール２４０が発した光を配光制御する反射鏡である。第２リフレクタ２５２は、第１リフレクタ２５１よりも上側に配置されている。
【０１１０】
第１リフレクタ２５１及び第２リフレクタ２５２は、ハウジング２２０に支持されている。第１リフレクタ２５１及び第２リフレクタ２５２の後端には、それぞれ第２挿入口２３０ａ、２４０ａが形成されている。第１リフレクタ２５１及び第２リフレクタ２５２は、各々の第２挿入口２３０ａ、２４０ａが各々の第１挿入口２２０ａ、２２０ｂと重なるように、ハウジング２２０に支持されている。第１リフレクタ２５１の第２挿入口２３０ａに第１発光モジュール２３０が挿入され、第２リフレクタ２５２の第２挿入口２４０ａに第２発光モジュール２４０が挿入されている。
【０１１１】
透光カバー２６０は、車両のヘッドランプ２０１に用いられるヘッドライト用フィルタである。透光カバー２６０は、ヘッドランプ２０１が発する光が透光し、外部に出射する光を配光制御するレンズである。
【０１１２】
光変換材料５５は、透光カバー２６０の中央部分に配置されている。具体的には、光変換材料５５は、ヘッドランプ２０１が車両に搭載された場合に、車両の進行方向から４°以上、下を向くように傾斜した領域を通過する光路上に配置されている。光変換材料５５は、第２発光モジュール２４０が照射した光を変換することが可能な位置に配置されている。具体的には、ヘッドランプ２０１が照射面に照射した光のうち、最も明るくなる部分Ｐ１とすると、部分Ｐ１とヘッドランプ２０１の第２発光モジュール２４０とを結ぶ直線Ｑ上に光変換材料５５を配置する。つまり、照射面の最も明るい部分Ｐ１と第２発光モジュール２４０との直線Ｑ上に光変換材料５５を配置すれば、明暗差を抑制できる。そこで、この透光カバー２６０では、直線Ｑと透光カバー２６０との交点及びその周辺の光変換材料５５の濃度を最も高くする。本実施の形態では、透光カバー２６０の光変換材料５５は、直線Ｑと透光カバー２６０とが交わる部分で最も濃度を高くし、直線Ｑと透光カバー２６０とが交わる部分から遠ざかるにしたがって濃度が低くなる。ここでいう下を向くとは、ヘッドランプ２０１に対する照射面の方向を意味する。
【０１１３】
［作用効果］
次に、本実施の形態おけるヘッドランプ２０１の作用効果について説明する。
【０１１４】
上述したように、本実施の形態に係る透光カバー２６０は、車両のヘッドランプ２０１に用いられるヘッドライト用フィルタである。そして、光変換材料５５は、ヘッドランプ２０１が車両に搭載された場合に、車両の進行方向から４°以上、下を向くように傾斜した領域を通過する光路上に配置されている。
【０１１５】
これによれば、光変換材料５５は、ヘッドランプ２０１が車両に搭載された場合に、車両の進行方向から４°以上、下を向くように傾斜した領域を通過する光路上に配置されている。このため、車両に近い部分の照射面が過剰に明るくなることを抑制することができる。この場合、視認性の悪化を抑制することができる。
【０１１６】
本実施の形態における他の作用効果についても、実施の形態１と同様の作用効果を奏する。
【０１１７】
（その他変形例等）
以上、本開示について、実施の形態１、２及び実施の形態１の変形例に基づいて説明したが、本開示は、上記実施の形態１、２及び実施の形態１の変形例に限定されるものではない。
【０１１８】
図１４は、変形例に係る車両のヘッドランプ２０１ａを示す図である。図１４に示すように、ヘッドランプ２０１ａは、さらに、可動装着部２７０を有する。可動装着部２７０は、第１発光モジュール２３０及び第２発光モジュール２４０よりも進行方向側に配置され、照明用フィルタ２８０を保持している。可動装着部２７０は、照明用フィルタ２８０を進行方向及び進行方向とは反対方向に回動することが可能である。また、可動装着部２７０は、照明用フィルタ２８０を進行方向及び進行方向とは反対方向に移動させることが可能である。可動装着部２７０は、図示しないアクチュエータ等によって照明用フィルタ２８０の配置を変更する。これにより、車両に近い照射面が過剰に明るく照らされる環境下では、可動装着部２７０が照明用フィルタ２８０を第１発光モジュール２３０に近づけてもよく、より光変換材料５５の濃度の高い照明用フィルタ２８０に交換してもよい。可動装着部２７０は、複数種類の照明用フィルタ２８０を保持し、環境に応じて照明用フィルタ２８０を交換してもよい。
【０１１９】
照明用フィルタ２８０は、車両の進行方向から４°以上、下を向くように傾斜した領域を通過する光路上に配置されている。照明用フィルタ２８０は、可動装着部２７０により、第１発光モジュール２３０を出射した光が透過する。
【０１２０】
例えば、上記実施の形態１、２及び実施の形態１の変形例に係るヘッドランプ２０１ａは、発光装置に取り付けるための可動性の可動装着部２７０を備える。そして、可動装着部２７０は、発光装置と光変換材料５５との相対的な位置関係を可変可能である。このように、可動装着部２７０は、第１発光モジュール２３０と光変換材料５５との相対的な位置関係を可変可能である。このため、路面が濡れた場合等の環境によって視環境が悪化した場合に、可動装着部２７０が照明用フィルタ２８０の配置位置を切り替えることで、視環境の悪化を改善することができる。
【０１２１】
また、上記実施の形態１、２及び実施の形態１の変形例に係る照明用フィルタ及び照明器具では、透光カバーに光変換材料を分散しているが、光変換材料を基材に不均一に分散した光変換フィルムを透光カバーに貼り付けてもよい。
【０１２２】
また、上記実施の形態１、２及び実施の形態１の変形例に係る照明用フィルタ及び照明器具では、透光カバーの両面又は片面に、紫外線吸収材料又は赤外線吸収材料、或いは、その両方を含む材料で覆ってもよい。この場合、光変換材料の劣化を抑制することができる。
【０１２３】
また、上記実施の形態２に係る照明用フィルタ及び照明器具では、透光カバーと第２発光モジュールとの間に、光変換材料を基材に不均一に分散した光変換フィルム又は光変換パネルを配置してもよい。
【０１２４】
その他、実施の形態１、２及び実施の形態１の変形例に対して当業者が思いつく各種変形を施して得られる形態、本開示の趣旨を逸脱しない範囲で実施の形態１、２及び実施の形態１の変形例における構成要素及び機能を任意に組み合わせることで実現される形態も本開示に含まれる。
【符号の説明】
【０１２５】
１、１００  照明器具
２  発光装置
５、１５０、２６０  透光カバー（照明用フィルタ）
４２  光源
５５  光変換材料
５６  基材
２００  車両（移動体）
２０１、２０１ａ  ヘッドランプ（照明器具）
２７０  可動装着部
２８０  照明用フィルタ
【図１】
2019083091.tif 000004
【図２】
2019083091.tif 000005
【図３】
2019083091.tif 000006
【図４】
2019083091.tif 000007
【図５】
2019083091.tif 000008
【図６】
2019083091.tif 000009
【図７】
2019083091.tif 000010
【図８】
2019083091.tif 000011
【図９】
2019083091.tif 000012
【図１０】
2019083091.tif 000013
【図１１】
2019083091.tif 000014
【図１２】
2019083091.tif 000015
【図１３】
2019083091.tif 000016
【図１４】
2019083091.tif 000017